(57)【要約】      （修正有）【課題】ファッションを楽しむことができるバストカップ部を有する女性用衣類を提供する。【解決手段】左右のバストカップ部を有する女性用衣類において、左右のバストカップ部は、カップ体とカップ体に着脱自在に装着可能な装飾片とからなり、カップ体は、モールドカップの表面側に水着素材を縫着し、モールドカップの背面側に装飾片挿入部を設けてなり、装飾片は、装飾挿入部に挿入される挿入片と、挿入片に取り付けられた装飾体とからなる。装飾片を形成する挿入片をモールド加工により熱成形されたカップ状成形体とすることが好ましく、装飾片を形成する装飾体は、レースによって形成することができる。【選択図】図２
0003118672.tif 000002
【実用新案登録請求の範囲】
【請求項１】
左右のバストカップ部を有する女性用衣類において、左右のバストカップ部は、カップ体と前記カップ体に着脱自在に装着可能な装飾片とからなり、前記カップ体は、モールドカップの表面側に水着素材を縫着し、モールドカップの背面側に装飾片挿入部を設けてなり、前記装飾片は、前記装飾挿入部に挿入される挿入片と、前記挿入片に取り付けられた装飾体とからなることを特徴とするバストカップ部を有する女性用衣類。
【請求項２】
装飾片を形成する挿入片は、モールド加工により熱成形されたカップ状成形体であることを特徴とする請求項１に記載のバストカップ部を有する女性用衣類。
【請求項３】
装飾片を形成する装飾体は、レースによって形成されていることを特徴とする請求項１に記載のバストカップ部を有する女性用衣類。
【請求項４】
カップ体の上部周縁にフリル等の装飾体が設けられていることを特徴とする請求項１〜３のいずれか１項に記載のバストカップ部を有する女性用衣類。
【請求項５】
バストカップ部のモールドカップは、モールド型により熱プレス加工により成形したカップ状成形体であり、背面側に設けた装飾片挿入部はサポート部材をモールドカップの側部周縁及び下部周縁に縫着し、上部周縁を開口させることによって形成されていることを特徴とする請求項１〜３のいずれか１項に記載のバストカップ部を有する女性用衣類。
【請求項６】
モールドカップの背面側に縫着されるサポート部材は、袋状に形成されており、内部に体形を補整するためのブラジャーパッドが着脱自在に挿入されていることを特徴とする請求項５に記載のバストカップ部を有する女性用衣類。
【考案の詳細な説明】
【技術分野】
【０００１】
本考案は、水着、リゾートウェア、ベビードール等の左右のバストカップ部を有する女性用衣類に関するものである。
【背景技術】
【０００２】
従来、上記水着、リゾートウェア等のバストカップ部を有する女性用衣類は、ファッション性が重んじられる。そこで、ファッションを楽しむためには、多数の水着等を用意しておくことが必要である。
【０００３】
しかしながら、リゾート地等に数日滞在する場合に、毎日同じ水着等の衣類を着ることには抵抗感があり、従って、複数種類の水着等の衣類を用意しなければならない。また、水着等の場合には、午前と午後とで変化をつけてファッションを楽しみたい場合がある。このようにファッションを楽しみたい場合の衣類として、水着等の布地本体の表面に装飾片を着脱自在に装着する衣類が提案されている。このような衣類に例えば、特許文献１がある。
【特許文献１】特開平９−３１７２５号公報（要約書）
【考案の開示】
【考案が解決しようとする課題】
【０００４】
ところで、特許文献１に記載されたような衣類では、多数の衣類を用意する必要はないが、表面に装着するものであるから周縁部分が密着せずファッション性に欠ける嫌いがある。また、厚みが増して剛性が高まり、着用感を損ねてしまうと共に、視覚性も損ねるおそれがある。
【０００５】
そこで、本考案は、ファッション性、視覚性を高めることができるバストカップ部を有する女性用衣類を提供することを課題とする。
【課題を解決するための手段】
【０００６】
本考案に係るバストカップ部を有する女性用衣類は、左右のバストカップ部を有する女性用衣類において、左右のバストカップ部は、カップ体と前記カップ体に着脱自在に装着可能な装飾片とからなり、前記カップ体は、モールドカップの表面側に水着素材を縫着し、モールドカップの背面側に装飾片挿入部を設けてなり、前記装飾片は、前記装飾挿入部に挿入される挿入片と、前記挿入片に取り付けられた装飾体とからなることを特徴とする。
【０００７】
本考案に係るバストカップ部を有する女性用衣類は、装飾片を形成する挿入片をモールド加工により熱成形されたカップ状成形体とすることが好ましく、装飾片を形成する装飾体は、レースによって形成することができる。また、カップ体の上部周縁には、フリル等の装飾体を設けてもよい。
【０００８】
また、本考案に係るバストカップ部を有する女性用衣類は、バストカップ部のモールドカップは、モールド型により熱プレス加工により成形したカップ状成形体であり、背面側に設けた装飾片挿入部はサポート部材をモールドカップの側部周縁及び下部周縁に縫着し、上部周縁を開口させることによって形成することができる。また、モールドカップの背面側に縫着されるサポート部材は、袋状に形成されており、内部に体形を補整するためのブラジャーパッドが着脱自在に挿入するように形成することが好ましい。
【考案の効果】
【０００９】
本考案に係るバストカップ部を有する女性用衣類によれば、装飾片を取り替えることによってバリエーションに富んだファッションを楽しむことができる。また、多数の衣類を用意する場合に比して経済的であり、携帯にも便利である。また、装飾片は、モールドカップの内側に密着するように装着するから、着用感を損ねることがない。
【考案を実施するための最良の形態】
【００１０】
以下、図面を参照して本考案に係るバストカップ部を有する女性用衣類の実施の形態を説明する。参照する図面において、図１は第１実施形態に係るツーピース水着のトップ部の正面図、図２は同じく背面図、図３は装飾片を取り除いた状態の背面図である。
【００１１】
図１に示すように、第１実施形態に係るトップ部１は、女性のバストを覆う左右のバストカップ部２、２を備えている。これらの左右のバストカップ部２、２は、内側の下端同士が側部周縁及び下部周縁に縫着されたストラップ３によって互いに接合されており、前記ストラップ３の両端部は肩に掛けられる長さに延長されている。
【００１２】
さらに、左右のバストカップ部２の側部周縁及び下部周縁には、湾曲状の補整用硬質プラスチック芯材８が合成樹脂性繊維からなる生地の袋体に包まれて配設されている。また、前記左右のバストカップ部２、２の側部周縁には側布４，４が縫着されており、側布４、４によって体の背面側で互いに連結されている。前記側布４、４は、左右のバストカップ部２、２と一体に形成された側布であってもよい。
【００１３】
次に、上記左右のバストカップ部２、２について説明する。左右のバストカップ部２、２は、図３以下に示すように、左右のカップ体５、５と装飾片７とからなる。
【００１４】
左右のカップ体５、５は、モールド型により熱プレス加工により成形したカップ状成形体であるモールドカップ５１の表側に水着素材５２が縫着されており、肌に触れる裏側には、前記装飾片７を装着するポケット状の装飾片挿入部５３が設けられている。
【００１５】
前記水着素材５２は、水着用素材であれば特に限定されるものではなく、無地であってもよく花、絵、柄等の模様が施されたものであってもよい。水着素材５２のモールドカップ５１の上部周縁は、図示する実施形態ではファッション性を有するようにフリル５０が形成されている。
【００１６】
前記装飾片挿入部５３は、前記モールドカップ５１の側部周縁及び下部周縁に、肌に優しく、通気性に優れた合成繊維の職布によるサポート部材５４を縫着することによってポケット状に形成されている。また、サポート部材５４は、バストの形状を保持するように前記モールドカップ５１の形状に沿うように形成されている。
【００１７】
前記装飾片挿入部５３は、図３及び図５に示すように、サポート部材５４の上端縁をモールドカップ５１の上端縁よりも下方に形成することによって上端に開口部を設け、前記開口部を装飾片７が出し入れ自在に挿入される挿入口５５とされている。
【００１８】
さらに、図示する実施形態では、前記サポート部材５４は、体形を補整するためのブラジャーパッド５６を装着可能なように袋状に形成されている。即ち、前記サポート部材５４は、全体が閉じた袋状体であって、肌に触れる裏側にブラジャーパッド５６を出し入れ自在に挿入する挿入口５７が形成されている。
【００１９】
ブラジャーパッド５６は、サポート部材５４に出し入れ可能な大きさであればよく、その形状、材質等は公知のものを使用することができる。例えば、表面編目層と裏面編目層の間に微細空隙を多数有する熱成形性素材の不職布をモールド加工により熱成形したカップ状成形体であることができる。
【００２０】
次に、図４及び図５に基づいて、上記装飾片７について説明する。装飾片７は、モールドカップ５１の形状とほぼ同一形状であり、装飾片挿入部５３が挿入可能な挿入片７１と、前記挿入片７１の上部周縁に取り付けられた装飾体７２とからなる。
【００２１】
前記挿入片７１は、モールド加工により熱成形されたカップ状成形体であり、装飾片挿入部５３に挿入されたとき、装飾体７２がモールドカップ５１の上部周縁から突出する大きさに形成されている。また、前記装飾片７２は、レース素材によってフリルに形成されている。
【００２２】
前記挿入片７１は、装飾片挿入部５３に挿入可能であれば、その大きさは特に限定されるものではない。また、装飾片７２は、任意の素材によって任意の形状に形成することができ、無地であっても柄模様が施されたものであってもよい。
【００２３】
さらに、装飾片７は、モールドカップ５１に着脱自在に装着される構成とすることが望ましい。図示する実施形態では、図３及び図４に示すように、挿入片７１側にフック６０を設け、モールドカップ５１側には前記フック６０を係止する筒状の係止片６１を設けることによって構成されている。前記フック６０を筒状の係止片６１に係止することによって激しい動きをしたり、波に打たれたような場合にも装飾片７は抜け落ちることがなく、安心して着用することができる。
【００２４】
尚、前記装飾片７とモールドカップ５１とを着脱自在に装着する構成は、前記構成に限定されるものではなく、公知の面ファスナー、ホック又はボタン等に変更してもよい。
【図面の簡単な説明】
【００２５】
【図１】本考案の第１実施形態に係る一部を省略したバストカップ部を有する女性用衣類の正面図である。
【図２】図１に示したバストカップ部を有する女性用衣類の背面図である。
【図３】同じく装飾片を取り外した状態の背面図である。
【図４】装飾片の正面図である。
【図５】図１Ａ−Ａ船におけるバストカップ部の縦断面図である。
【符号の説明】
【００２６】
１：水着のトップ部
２：バストカップ部
３：ストラップ
４：側布
５：カップ体
７：装飾片
８：補整用硬質プラスチック芯材
５１：モールドカップ
５２：水着素材
５３：装飾片挿入部
５４：サポート部材
５５：装飾片挿入口
５６：ブラジャーパッド
５７：ブラジャーパッド挿入口
【図１】
0003118672.tif 000003
【図２】
0003118672.tif 000004
【図３】
0003118672.tif 000005
【図４】
0003118672.tif 000006
【図５】
0003118672.tif 000007